(57)【要約】【課題】段ボール板の使用量を抑えるとともに、閉蓋作業を容易に行なうことができ、文書保存箱などに好適に使用される包装箱を提供する。【解決手段】２組の対向側板２，２、３，３と、この２組の対向側板２，２、３，３の下端に連設された底板形成用のフラップと、前記２組の対向側板２，２、３，３の内、短辺側の対向側板２，２の上端に連設された上蓋形成用の板部６ａ，６ｂと、長辺側の組の対向側板３，３の上端に連設され前記板部６ａ，６ｂと側端部において繋がる上蓋形成用の板部７ａ，７ｂとから構成され、短辺側の対向側板２，２の上端に連設された上蓋形成用の板部６ａ，６ｂには短辺側の対向側板２，２の上端との連設線の端部から八の字状の折り目９，９が形成され、前記一方の板部７ａには差し込み片１０が形成され、他方の板部７ｂには前記差し込み片１０を差し込ませるための差し込み孔１１が形成されている。【選択図】        図４
2004268956.tif 000002
【特許請求の範囲】
【請求項１】
２組の対向側板と、この２組の対向側板の下端に連設された底板形成用のフラップと、前記２組の対向側板の内、１組の対向側板の上端に連設された上蓋形成用の板部と、他の組の対向側板の上端に連設され前記１組の対向側板の上端に連設された板部と側端部において繋がる上蓋形成用の板部とから構成され、１組の対向側板の上端に連設された上蓋形成用の板部には１組の対向側板の上端との連設線の端部から八の字状の折り目が形成され、前記他の組の対向側板の上端に連設された上蓋形成用の板部の先端部同士が互いに重なり、先端部が内側に位置する一方の板部には差し込み片が形成され、先端部が外側に位置する他方の板部には前記差し込み片を差し込ませるための差し込み孔が形成されていることを特徴とする段ボール板製の包装箱。
【発明の詳細な説明】
【０００１】
【発明の属する技術分野】
本発明は文書保存箱などに好適に使用される段ボール板製の包装箱に関するものである。
【０００２】
【従来の技術】
従来から文書保存箱として使用される段ボール板製の包装箱としては例えば非特許文献１に開示されているように、２組の対向側板と、この２組の対向側板の内、一方の対向側板の下端に連設された底板形成用のフラップと、２組の対向側板の内、他方の対向側板の下端に連設され前記底板形成用のフラップの下側に重なって底板を形成する底板形成用のフラップと、前記２組の対向側板の内、一方の対向側板の上端に連設された上蓋形成用のフラップと、２組の対向側板の内、他方の対向側板の一方の側板の上端に連設され前記上蓋形成用のフラップの上側に重なって上蓋を形成する上蓋形成用のフラップとから構成されたものが知られている。
【０００３】
さらに詳しくは、前記一方の対向側板の下端に連設された２枚の底板形成用のフラップは包装箱の下端の両端部を覆い、他方の対向側板の下端に連設された２枚の底板形成用のフラップは前記一方の対向側板の下端に連設された底板形成用のフラップの下側に重なり端面が互いに突き合わせ状態で包装箱の下端全面を覆い、この底板形成用のフラップの端面突き合わせ部を粘着テープで封緘するようになっている。また、前記一方の対向側板の上端に連設された上蓋形成用のフラップは包装箱の上端の両端部を覆い、前記他方の対向側板の一方の側板の上端に連設された上蓋形成用のフラップは包装箱の上端全面を覆う大きさを有し、この上蓋形成用のフラップの先端に他方の対向側板の他方の側板の上端内面に差し込まれる差し込み片が連設されている。
【０００４】
上記構成の包装箱は展開状態において、他方の対向側板の一方の側板の上端に連設された上蓋形成用のフラップが大きく突出し、その分使用する段ボール板の使用量が増えるという問題があった。また、前記他方の対向側板の一方の側板の上端に連設された上蓋形成用のフラップを閉じるとき、前記一方の対向側板の上端に連設された上蓋形成用のフラップを両手で閉じ、その後他方の対向側板の一方の側板の上端に連設された上蓋形成用のフラップを閉じており、閉蓋作業に手間がかかるという問題があった。
【０００５】
【非特許文献１】
ＪＩＳ  Ｚ  １５０７−１９８９  Ｐ．３  コード番号０２１２
【０００６】
【発明が解決しようとする課題】
本発明はこのような課題を解決するもので、段ボール板の使用量を抑えるとともに、閉蓋作業を容易に行なうことができ、文書保存箱などに好適に使用される包装箱を提供することを目的とするものである。
【０００７】
【課題を解決するための手段】
この課題を解決するために本発明は、２組の対向側板と、この２組の対向側板の下端に連設された底板形成用のフラップと、前記２組の対向側板の内、１組の対向側板の上端に連設された上蓋形成用の板部と、他の組の対向側板の上端に連設され前記１組の対向側板の上端に連設された板部と側端部において繋がる上蓋形成用の板部とから構成され、１組の対向側板の上端に連設された上蓋形成用の板部には１組の対向側板の上端との連設線の端部から八の字状の折り目が形成され、前記他の組の対向側板の上端に連設された上蓋形成用の板部の先端部同士が互いに重なり、先端部が内側に位置する一方の板部には差し込み片が形成され、先端部が外側に位置する他方の板部には前記差し込み片を差し込ませるための差し込み孔が形成されていることを要旨とするものである。
【０００８】
この構成により、側板の上端に連設された全ての上蓋形成用の板部は側端部において互いに繋がっており、閉蓋作業時において最終的に差し込み片を差し込み孔に差し込むまでの作業を容易に行なうことができる。また、この包装箱は展開状態において部分的に大きな突出部分がなく、製造時において段ボール板の使用量を抑え、コストダウンを図ることができる。
【０００９】
【発明の実施の形態】
以下、本発明の一実施の形態について、図面に基づいて説明する。
図１〜図７において、１は２組の対向側板２，２、３，３と、この２組の対向側板２，２、３，３の内、短辺側の対向側板２，２の下端に連設された底板形成用のフラップ４ａ，４ｂと、２組の対向側板２，２、３，３の内、長辺側の対向側板３，３の下端に連設され前記底板形成用のフラップ４ａ，４ｂと組み合わされて底板を形成する底板形成用のフラップ５ａ，５ｂと、前記２組の対向側板２，２、３，３の内、短辺側の対向側板２，２の上端に連設された上蓋形成用の板部６ａ，６ｂと、２組の対向側板２，２、３，３の内、長辺側の対向側板３，３の上端に連設され前記短辺側の対向側板２，２の上端に連設された板部６ａ，６ｂと側端部において繋がる上蓋形成用の板部７ａ，７ｂとから構成された段ボール板製の包装箱である。
【００１０】
さらに詳しくは、前記底板形成用のフラップ４ａ，４ｂおよび５ａ，５ｂについて説明すると、包装箱１の底を閉じるときは先ず、長辺側の対向側板３，３の内、一方の側板３の下端に連設された底板形成用のフラップ５ａを先に閉じ、次にこの底板形成用のフラップ５ａの下面に重なるように短辺側の対向側板２，２の下端に連設された底板形成用のフラップ４ａ，４ｂを閉じ、包装箱１の底部中央部においてフラップ５ａとフラップ４ａ，４ｂとにより差し込み孔８を形成し、最終的に長辺側の対向側板３，３の内、他方の側板３の下端に連設された底板形成用のフラップ５ｂを閉じて、このフラップ５ｂの先端差し込み片５ｂ’を前記差し込み孔８に差し込むことによって底板が形成されるようになっている。
【００１１】
また、前記上蓋形成用の板部６ａ，６ｂおよび板部７ａ，７ｂについて説明すると、これら板部６ａ，６ｂおよび板部７ａ，７ｂは前述のように側端部において繋がり、板部６ａ，６ｂには短辺側の対向側板２，２の上端との連設線の端部から八の字状の折り目９，９が形成され、前記板部７ａ，７ｂの内、一方の板部７ａには差し込み片１０が形成され、他方の板部７ｂには前記差し込み片１０を差し込ませるための差し込み孔１１が形成されている。なお、上蓋形成用の板部６ａ，６ｂおよび板部７ａ，７ｂが閉じて上蓋を形成する際、八の字状の折り目９，９で折られた板部６ａ，６ｂの上から板部７ａ，７ｂが重なるのであるが、板部７ａの先端部と板部７ｂの先端部も互いに重なり、かかる状態で差し込み片１０が差し込み孔１１に差し込まれる。なお、板部７ａの先端部と板部７ｂの先端部が重なった状態において先端部が内側に位置する一方の板部７ａの差し込み片１０は先端部が外側に位置する他方の板部７ｂの先端部に形成された切り込み部１２に嵌り込み、かかる状態で差し込み片１０が差し込み孔１１に差し込まれる。ところで、図面に示す実施の形態では差し込み片１０には差し込み孔１１に対する挿脱を容易に行なえるようにするために２本の折り目１３が形成され、差し込み孔１１に対する差し込み片１０の引き抜きを容易に行なえるようにするために差し込み片１０には指掛け用の切り込み部１４が形成されている。
【００１２】
上記構成において、包装箱１内に対し文書などの被収納物を出し入れするときは図４に示すように上蓋が開かれた状態で被収納物の出し入れを行ない、その後上蓋を閉じる。この閉蓋作業は先端部が内側に位置する一方の板部７ａを差し込み片１０を摘んで閉じることにより、板部６ａ，６ｂおよび板部７ａ，７ｂが前述のように側端部において互いに繋がっていることにより板部６ａ，６ｂが八の字状の折り目９，９で折り畳まれるとともに他方の板部７ｂも連動して閉じられ、最終的に差し込み片１０を差し込み孔１１に差し込むことにより容易に行なうことができる。
【００１３】
ところで、本実施の形態の包装箱１は文書保存箱などとして好適に使用されるものであるが、他の被収納物を収納するようにしても良い。
また、本実施の形態の包装箱１は平面形状において長方形であるが、平面形状において正方形の包装箱も実施可能である。
【００１４】
【発明の効果】
以上のように本発明によれば、側板の上端に連設された全ての上蓋形成用の板部は側端部において互いに繋がっており、閉蓋作業時において最終的に差し込み片を差し込み孔に差し込むまでの作業を容易に行なうことができる。また、この包装箱は展開状態において部分的に大きな突出部分がなく、製造時において段ボール板の使用量を抑え、コストダウンを図ることができる。
【図面の簡単な説明】
【図１】本発明の一実施の形態における包装箱の展開図である。
【図２】同包装箱の底板を形成する途中の状態を示す下方からの斜視図である。
【図３】同包装箱の底板を形成した状態を示す下方からの斜視図である。
【図４】同包装箱の上蓋が開かれた状態を示す上方からの斜視図である。
【図５】同包装箱の上蓋が閉じられる直前の状態を示す上方からの斜視図である。
【図６】同包装箱の上蓋が閉じられた状態を示す上方からの斜視図である。
【図７】同包装箱の上蓋が閉じられた状態を示す要部拡大断面図である。
【符号の説明】
１            包装箱
２，３        側板
４ａ，４ｂ    底板形成用のフラップ
５ａ，５ｂ    底板形成用のフラップ
５ｂ’        先端差し込み片
６ａ，６ｂ    上蓋形成用の板部
７ａ，７ｂ    上蓋形成用の板部
８            差し込み孔
９            折り目
１０            差し込み片
１１            差し込み孔
１２            切り込み部
１３            折り目
１４            指掛け用の切り込み部
【図１】
2004268956.tif 000003
【図２】
2004268956.tif 000004
【図３】
2004268956.tif 000005
【図４】
2004268956.tif 000006
【図５】
2004268956.tif 000007
【図６】
2004268956.tif 000008
【図７】
2004268956.tif 000009